(57)【要約】      （修正有）【課題】押しボタンを押す機能を持たない人でも、片足などで物を引く能力がある入院患者などが使えるナースコールを提供する。  現在使用されている入院患者や介護施設入居者の徘徊行動を未然に防止する用品は、高値で保管が容易でなく、一部の施設では電圧が足りず使用できないが、電圧を変えずに使用でき、保管も容易で、製造費も安価で提供する。【解決手段】ナースコールのスイッチ部分の形状を変え、コードの先が電気遮断物質12を挟む形で電気回路を遮断してあり、その電気遮断物質12が引き抜かれることにより、電気が通り反応することを特徴とする。  その電気遮断物質12の一部分をスイッチカバー15より外に出して穴16を有しておき、その穴16に紐や鎖を通し、紐や鎖が引かれることによりその電気遮断物質12が引き抜かれ、遮断された部分が接触して電気が流れ反応することを特徴とする。【選択図】図１
2006305259.tif 000002
【特許請求の範囲】
【請求項１】
通常は握り釦などになっている部分の形状を変え、両方のコードの先が弾性部材を用いて電気遮断物質を挟む形で電気回路を遮断してあり、その電気遮断物質が引き抜かれることで弾性部材が作用し、両コードの先が接触して遮断されていた電気が流れ反応する方式のナースコールのスイッチであって、
スイッチが引き抜かれることにより反応することを特徴とするナースコールスイッチ。
【請求項２】
挟み込まれた状態になっている電気遮断物質は一部がスイッチカバーの外部にでており、その電気遮断物質の外部に出た部分には、紐や鎖などを通すための穴を有することを特徴とするナースコールのスイッチ。
【請求項３】
請求項２記載の電気遮断物質を引き抜かれた後に元の挟み込まれた状態に戻す時に、中に入れすぎないためのストッパーを有することを特徴とするナースコールのスイッチ。
【請求項４】
請求項２記載の電気遮断物質が、簡単に抜ける誤作動を防ぐためのストッパーを有することを特徴とするナースコールスイッチ。
【発明の詳細な説明】
【技術分野】
【０００１】  本発明は、病院や介護施設等で使用されているナースコールのスイッチの部分に関する。
【背景技術】
【０００２】  従来ナースコールは患者・入居者等が、スイッチの押しボタンを押さないと使用できないものである。
入院・入居している、患者・入居者でボタンを押す身体機能を有してない患者・入居者はナースコールの使用ができないのが現状である。【０００３】  従来、認知症の入院患者・施設入居者等の徘徊行動の未然防止には、「ナースコール装置」（実用新案登録第３０６９３８８号）や、「介護ベッドの離床検知装置」（特開２００３−２６５５４６）などがあるが、高価で保管が容易でなく、一部の施設では電圧が足りず使用できないのが現状である。【０００４】
【特許文献１】  実用新案登録第３０６９３８８号
【特許文献２】  特開２００３−２６５５４６
【発明の開示】
【発明が解決しようとする課題】
【０００５】  上述の如くケガやマヒ等で握り釦などの押しボタンを押す身体機能を有してない患者・入居者等は、看護・介護の職員への連絡や呼び出しは難しく、連絡や呼び出しをしたくても職員が巡回で来るのを待っているのが現状である。
本発明は、ナースコールのスイッチの部分の形状を変えただけもので、体の一部が動き、物を引っ掛けて引く機能があれば押しボタンを押す機能が無い患者・入居者でも容易に使用できる。【０００６】  上述の如く、現在使用されている認知症の患者・入居者のための徘徊行動の未然防止用品は高価で、保管も容易でなく、一部の施設では電圧が足りず使用できないのが現状である。
本発明はナースコールのスイッチの形状を変えただけのものであり、安価で製造でき、保管も容易であり、ナースコールが設置できる電圧があれば使用できる。
【課題を解決するための手段】
【０００７】  上述の目的を達成する本発明のナースコールスイッチは、通常は握り釦などとなっている部分の形状を変え、スイッチカバー内でコードの両方の先で弾性部材を用い、電気遮断物質を両側から挟む形で電気回路を遮断し、その電気遮断物質が引き抜かれる事により弾性部材が作用し、遮断されていた両方のコードの先が接触して電気が流れ反応することを特徴とする。【０００８】  電気遮断物質は一部がスイッチカバーより外側に出るようにし、外部に出た部分には穴を有する。その穴に紐や鎖状の物を通すか付ける。
ナースコールを作動させる時は、その付けるか通してある紐等を引き、電気遮断物質を引き抜く。【０００９】  引き抜かれた電気遮断物質を、もとの挟み込まれた状態に戻す時に中に入れすぎないために、電気遮断物質にストッパーを付ける。【００１０】  電気遮断物質が挟み込まれている状態から簡単に抜け落ちないようにするために、電気遮断物質の差込方向先端にストッパーを付ける。
【発明の効果】
【００１１】  以上、説明したように本発明ではケガやマヒ等で手が動かせない患者・入居者等でも、体の一部で紐・鎖状の物を引く能力か、紐・鎖状の物に付けるか通してある物を引く能力を有していれば使用できる。【００１２】  認知症でベッドから離れると危険・問題がある入院患者・施設入居者のベッド柵に取り付ければ、ベッド柵を外した時に反応し、徘徊行動を未然に防止することができる。
【発明を実施するための最良の形態】
【００１３】  以下、本発明の実施の形態を図面に基づき説明する。【００１４】  図１〜３は本発明の実施の形態に係り、図１は側面から見た中央部の断面図、図２は上部から見た中央部の断面図、図３は上部から見た外観視図である。【００１５】  図１〜３に示すように本発明のナースコールスイッチ（１１）は、にぎり釦などの押しボタンの部分に、押しボタンに変わり電気遮断物質で薄いカード状の物質（１２）が、弾性部材（１３）を用いて挟み込まれた形態のものである。このカード状の物質（１２）が引き抜かれ、遮断されていた電気が流れ反応する。【００１６】  両側から挟む部材（１４）は中心部をスイッチカバー本体（１５）に、可動するように接合する。
バネ利用クリップ２個をスイッチカバー内側で向きをそろえ平行にし、上下に固定し、そのカバー中心部にあるクリップの両方の取っ手の部分で、電気遮断物質を挟む形態である。
但し、挟み込む部材が開けば良いので２つとも可動する接合にする必要はなく、１つが可動すれば良い。【００１７】  電気遮断物質（１２）の外部に出た部分には穴（１６）を有しておき、そこに紐や鎖などを通すか、付ける。
その紐等を引っ張ることにより電気遮断物質（１２）が引き抜かれて、それぞれのコードの先が接触して電気が流れ反応する。
紐や鎖は、患者・入居者等が動かせる体の部分の近くに設置しておき、片足などでも容易に引けるようにする。
また、より容易に使用するために、紐等に引きやすくするための物を通すか、付ける。【００１８】  引き抜かれた電気遮断物質（１２）を元の挟み込まれた状態にするには、挟み込む部分（１７）を広げなければならない。
そのため、挟み込む部分（１７）の可動中心部から見て逆の部分（１８）（クリップでは挟む部分）を指などで押して、挟み込む部分（１７）を広げなければならない。
そのため、指などで押せるようにするために、スイッチカバーのその押す部分（１９）をゴムなどの柔軟部材にする。
スイッチカバーの柔軟部材の部分（１９）を、手などで押して挟み込む部分を広げる。【００１９】  電気遮断物質（１２）を挟み込む時に中に入れすぎないために、電気遮断物質（１２）に突起などを付けストッパー（２０）を有しておく。【００２０】  電気遮断物質（１２）が挟み込まれた状態から、引き抜かれてないのに抜けるのを防ぐため、電気遮断物質（１２）の差込方向先端に突起などを付けストッパー（２１）を有しておく。【００２１】  電気遮断物質（１２）が引き抜かれて反応したナースコールを、作動してないもとの状態に早くもどすために、または引き抜かれた電気遮断物質（１２）が破損した時等のために、予備の電気遮断物質（２７）をスイッチカバーの外側などに鎖などで付けておくための、穴などの装置（２２）を有しておく。
【実施例１】
【００２２】  図４は実施例としての、足で引っ張り本発明（１１）を使用できるようにセッティングしたベッド（２５）周辺の外観斜視図である。
通常は枕（２３）側にナースコールは設置されるが、足で使用するので通常の使用時では足側に当たる方に枕（２３）を置く。
使用を容易にするための軽量プラスチックボール等（２４）を紐等の先端に固定する。
【実施例２】
【００２３】  図５は実施例としての、ベッド柵（２６）を外した時に本発明（１１）が作動するようセッティングしたベッド（２５）周辺の外観側視図である。
認知症患者は徘徊行動を直ちに中止することは少ないので、臥床まで時間を要することが多い。まず、ナースコールの反応音を消す必要がある時が多いので、予備の電気遮断物質（２７）を有しておき、まず、スイッチ本体（１１）に予備の電気遮断物質（２７）を挟み、反応音を消し、認知症患者の臥床をする。
【産業上の利用可能性】
【００２４】  本発明は医療・福祉の分野におき、入院・入居して治療・介護する施設等で利用できる。
【図面の簡単な説明】
【００２５】
【図１】  本発明の側面から見た中央断面図。
【図２】  本発明の上部から見た中央断面図。
【図３】  本発明の外観上視図。
【図４】  本発明を足で引き使用できるようセットした、ベッド周辺の外観斜視図。
【図５】  本発明を、ベッド柵を外した時に作動するようセットした、ベッド周辺の外観側視図。
【符号の説明】
【００２６】１１、本発明のナースコールスイッチ
１２、電気遮断物質（薄いカード状）
１３、電気遮断物質（１２）を挟み込むのに用いる弾性部材
１４、電気遮断物質（１２）を挟み込む部材
１５、スイッチカバー
１６、電気遮断物質（１２）を紐等を利用し、引き抜くために有しておく穴
１７、電気遮断物質を挟み込む部材（１４）の、電気遮断物質（１２）を挟み込む部分
１８、電機遮断物質を挟み込む部材の、電機遮断物質を挟み込む部分（１７）を広げるために押す部分
１９、電機遮断物質を挟み込む部材の、電機遮断物質を挟み込む部分を広げるために押す部分（１８）を押すために、スイッチカバーで柔軟部材となっている部分
２０、電機遮断物質（１２）を中に入れすぎないためのストッパー
２１、電気遮断物質（１２）が簡単に抜け落ちないためのストッパー
２２、予備の電気遮断物質（１２）を有するための穴（装置）
２３、枕
２４、使用を容易にするための軽量プラスチックボール等
２５、ベッド
２６、ベッド柵
２７、予備の電気遮断物質（１２）
【図１】
2006305259.tif 000003
【図２】
2006305259.tif 000004
【図３】
2006305259.tif 000005
【図４】
2006305259.tif 000006
【図５】
2006305259.tif 000007